(57)【要約】【課題】簡単に１次共振周波数及び３次共振周波数を所望の周波数に設定してデュアルバンドで動作を実現するデュアルバンド・ヘリカルアンテナの設計方法を提供する。【解決手段】ヘリカルアンテナ１の３次共振周波数が所望の周波数となるようにヘリカル導体線２の巻数を調整すると同時にヘリカル導体線２の巻数の調整に応じて１次共振周波数が動かないように円形のヘリカル導体線の直径ｒを調整する。【選択図】図１
2010068070.tif 000002
【特許請求の範囲】
【請求項１】
円形の螺旋状に巻いて設けられたヘリカル導体線と、前記ヘリカル導体線の一端に設けられた給電線と、を備えたデュアルバンド・ヘリカルアンテナの設計方法であって、
１次共振周波数を固定したまま３次共振周波数が所望の周波数に移動するように前記ヘリカル導体線の巻数及び直径を調整する
ことを特徴とするデュアルバンド・ヘリカルアンテナの設計方法。
【請求項２】
長方形の螺旋状に巻いて設けられたヘリカル導体線と、前記ヘリカル導体線の一端に設けられた給電線と、を備えたデュアルバンド・ヘリカルアンテナの設計方法であって、
１次共振周波数を固定したまま３次共振周波数が所望の周波数に移動するように前記ヘリカル導体線の巻数及び長辺の長さを調整する
ことを特徴とするデュアルバンド・ヘリカルアンテナの設計方法。
【発明の詳細な説明】
【技術分野】
【０００１】
本発明は、デュアルバンド・ヘリカルアンテナの設計方法に関するものである。
【背景技術】
【０００２】
一般に、ヘリカルアンテナ１は、図１に示すように、導体板２と、螺旋状に巻き付けられたヘリカル導体線３と、ヘリカル導体線３の一端及び導体板２の間に設けられた給電線４と、が設けられている。このようなヘリカルアンテナ１は、ヘリカル導体線３が螺旋状に設けられているため小型化を図ることができる。
【０００３】
しかしながら、従来ではヘリカルアンテナ１の１次共振周波数及び３次共振周波数を調整する設計手法が確立されていない。このため、１次共振周波数及び３次共振周波数の両方を所望の周波数に調整することが難しく、従来では１次共振周波数のみを所望の周波数に設定して、シングルバンドで動作させていた。即ち、従来では、シングルバンドで動作するヘリカルアンテナ１しか設計することができない、という問題点があった。
【発明の開示】
【発明が解決しようとする課題】
【０００４】
そこで、本発明は、上記のような問題点に着目し、簡単に１次共振周波数及び３次共振周波数の両方を所望の周波数に設定してデュアルバンドで動作を実現するデュアルバンド・ヘリカルアンテナの設計方法を提供することを課題とする。
【課題を解決するための手段】
【０００５】
本発明者らは、１次共振周波数及び３次共振周波数の両方を簡単に所望の周波数にすべく検討を重ねた結果、円形の螺旋状に巻いて設けられたヘリカル導体線の場合、その巻数及び直径を調整することによって、１次共振周波数を固定したまま３次共振周波数を調整できることを見出し、本発明を完成するに至った。また、長方形の螺旋状に巻いて設けられたヘリカル導体線の場合、その巻数及び長辺の長さを調整することによって、１次共振周波数を固定したまま３次共振周波数を調整できることを見出し、本発明を完成するに至った。
【０００６】
即ち、請求項１記載の発明は、円形の螺旋状に巻いて設けられたヘリカル導体線と、前記ヘリカル導体線の一端に設けられた給電線と、を備えたデュアルバンド・ヘリカルアンテナの設計方法であって、１次共振周波数を固定したまま３次共振周波数が所望の周波数に移動するように前記ヘリカル導体線の巻数及び直径を調整することを特徴とするデュアルバンド・ヘリカルアンテナの設計方法に存する。
【０００７】
請求項２記載の発明は、長方形の螺旋状に巻いて設けられたヘリカル導体線と、前記ヘリカル導体線の一端に設けられた給電線と、を備えたデュアルバンド・ヘリカルアンテナの設計方法であって、１次共振周波数を固定したまま３次共振周波数が所望の周波数に移動するように前記ヘリカル導体線の巻数及び長辺の長さを調整することを特徴とするデュアルバンド・ヘリカルアンテナの設計方法に存する。
【発明の効果】
【０００８】
以上説明したように請求項１記載の発明によれば、最初に１次共振周波数のみを所望の周波数にした基本品を設計した後に、基本品のヘリカル導体線の巻数及直径の２つのパラメータを調整するだけで、１次共振周波数を固定したまま３次共振周波数を所望の周波数に調整することができ、簡単に１次共振周波数及び３次共振周波数を所望の周波数に設定してデュアルバンドで動作を実現するデュアルバンド・ヘリカルアンテナを設計することができる。
【０００９】
請求項２記載の発明によれば、最初に１次共振周波数のみを所望の周波数にした基本品を設計した後に、基本品のヘリカル導体線の巻数及長辺の長さの２つのパラメータを調整するだけで、１次共振周波数を固定したまま３次共振周波数を所望の周波数に調整することができ、簡単に１次共振周波数及び３次共振周波数を所望の周波数に設定してデュアルバンドで動作を実現するデュアルバンド・ヘリカルアンテナを設計することができる。
【発明を実施するための最良の形態】
【００１０】
第１実施形態
以下、本発明の第１実施形態を図面に基づいて説明する。図１に示すように、デュアルバンド・ヘリカルアンテナ１（以下単にヘリカルアンテナ１と略記する）は、導体板２と、ヘリカル導体線３と、給電線４と、逆Ｆ線５と、が設けられている。上記導体板２は、導電性を有する平板から構成されている。ヘリカル導体線３及び給電線４は、１本の導体線から構成されている。この１本の導体線は、ヘリカル導体線３及び給電線４が直交するようにＬ字型に折り曲げられている。
【００１１】
上記ヘリカル導体線３は、円形の螺旋状に巻いて設けられている。ヘリカル導体線３の一端には、給電線４が設けられている。ヘリカル導体線３の他端は、開放されている。給電線４は、ヘリカル導体線３側とは逆側の端部が導体板２に接続されている。逆Ｆ線５は、インピーダンス整合を取るために設けられている。逆Ｆ線５は、給電線４と平行に配置されている。逆Ｆ線５は、一端が導体板２に接続されていて、他端が折り曲げられて給電線４に接続されている。
【００１２】
次に、本発明者らは、給電線４の長さＳ＝１０ｍｍ、ヘリカル導体線３の巻数Ｎ＝３２、ヘリカル導体線３の直径ｒ＝２ｍｍ、ヘリカル導体線３の間隔ｂ＝１ｍｍ、ヘリカル導体線３及び給電線４の太さ直径０．５ｍｍ、の図１に示すヘリカルアンテナ１である基本品Ａを作製してその周波数対反射係数Ｓ１１特性を測定した。結果を図２に示す。図２から明らかなように、基本品Ａの１次共振周波数ｆ１は８１３ＭＨｚであり、３次共振周波数ｆ２は２２９０ＭＨｚであることが分かった。
【００１３】
また、本発明者は、基本品Ａの１次共振周波数ｆ１＝８１３ＭＨｚでの反射係数Γ１、利得ｇ１、３次共振周波数ｆ２＝２２９０ＭＨｚでの反射係数Γ２、利得ｇ２を測定した。結果を図３に示す。図３から明らかなように、基本品Ａにおいては、１次共振周波数ｆ１＝８１３ＭＨｚにおける反射係数Γ１＝０．０８１５、利得ｇ１＝３．１７０となり、３次共振周波数ｆ２＝２２９０ＭＨｚにおける反射係数Γ２＝０．１５０５、利得ｇ２＝５．２９９となることが分かった。
【００１４】
今、例えば、ｆ１１及びｆ１２（所望の周波数）の２つの周波数でデュアルバンド動作可能なヘリカルアンテナ１を設計したいとする。そして、基本品Ａの１次共振周波数ｆ１とｆ１１とが８１３ＭＨｚで等しく（ｆ１＝ｆ１１）、基本品Ａの３次共振周波数ｆ２＝２２９０ＭＨｚとｆ１２とが等しくなかったとする（ｆ２≠ｆ１２）。このとき、１次共振周波数ｆ１をｆ１１に設定して３次共振周波数ｆ２をｆ１２に設定してデュアルバンドで動作させるためには、１次共振周波数ｆ１＝ｆ１１を固定したまま３次共振周波数ｆ２を動かしてｆ１２に設定する必要がある。即ち、ｆ２／ｆ１を変化させる必要がある。なお、基本品Ａのように１次共振周波数ｆ１＝８１３ＭＨｚ、３次共振周波数ｆ２＝２２９０ＭＨｚの場合、ｆ２／ｆ１＝２．８１７となる。
【００１５】
次に、本発明者らは、基本品Ａに対して他のパラメータを固定したままヘリカル導体線３の巻数Ｎ及び直径ｒが互いに異なる複数のヘリカルアンテナ１を作製して、作製したヘリカルアンテナ１の１次共振周波数ｆ１、３次共振周波数ｆ２をそれぞれ求めた。結果、図２及び図３の製品Ｂ〜製品Ｅに示すように、ヘリカル導体線３の巻数Ｎ及び直径ｒを調整すれば、１次共振周波数ｆ１を固定したまま３次共振周波数ｆ２のみ調整できることを見出した。また、図４及び図５の製品Ｆ〜Ｉに示すように、ヘリカル導体線３及び給電線４を構成する１本の導体線の長さが基本品Ａとほぼ同じになるような巻数Ｎ及び直径ｒの組み合わせでは、１次共振周波数ｆ１も動いてしまうことが分かった。
【００１６】
上記製品Ｂは、ヘリカル導体線３の巻数Ｎ＝１８．４５、ヘリカル導体線３の直径ｒ＝３ｍｍに設けられている。製品Ｂの３次共振周波数ｆ２は、基本品Ａよりも小さい２１３２ＭＨｚに設定される。製品Ｃは、ヘリカル導体線３の巻数Ｎ＝１１．９、ヘリカル導体線３の直径ｒ＝４ｍｍに設けられている。製品Ｃの３次共振周波数ｆ２は、基本品Ａ及び製品Ｂよりも小さい２０３３ＭＨｚに設定されている。
【００１７】
製品Ｄは、ヘリカル導体線３の巻数Ｎ＝４１．１、ヘリカル導体線３の直径ｒ＝１．５ｍｍに設けられている。製品Ｄの３次共振周波数ｆ２は、基本品Ａよりも大きい２３６０ＭＨｚに設定されている。製品Ｅは、ヘリカル導体線３の巻数Ｎ＝５７．７、ヘリカル導体線３の直径ｒ＝１ｍｍに設けられている。製品Ｅの３次共振周波数ｆ２は、基本品Ａよりも大きい２４３０ＭＨｚに設定されている。上述した製品Ｂ〜製品Ｄの１次共振周波数ｆ１は基本品Ａと同じに固定されている。これら製品Ｂ〜Ｄは、図３に示すように、反射係数Γ１、Γ２ともに０．３以下（即ちＶＳＷＲが２以下）と良好であり、また利得ｇ１、ｇ２共に２ｄＢｉ以上であり、アンテナとしても動作していることが確認された。
【００１８】
図２及び図３の製品Ｂ、Ｃの欄からも明らかなように、ヘリカル導体線３の巻数Ｎを減らすと同時にヘリカル導体線３の直径ｒを大きくすると、１次共振周波数ｆ１を固定したまま３次共振周波数ｆ２を小さくできることが分かった。また、図２及び図３の製品Ｄ、Ｅの欄からも明らかなように、ヘリカル導体線３の巻数Ｎを増やすと同時にヘリカル導体線３の直径ｒを小さくすると、１次共振周波数ｆ１を固定したまま３次共振周波数ｆ２を大きくできることが分かった。即ち、ヘリカルアンテナ１の巻数Ｎ及び直径ｒを調整することによって、１次共振周波数ｆ１を固定したまま３次共振周波数ｆ２が調整できることが分かった。
【００１９】
そこで、第１実施形態では、まず１次共振周波数ｆ１のみを上記ｆ１１に設定した基本品Ａの設計を行う。次に、３次共振周波数ｆ２が上記ｆ１２となるように基本品Ａに対してヘリカル導体線３の巻数Ｎを変動させて調整する。同時にヘリカル導体３の巻数Ｎの調整に応じて１次共振周波数ｆ１＝ｆ１１が動かないように基本品Ａに対して円形のヘリカル導体線３の直径ｒを変動させて調整する。これにより、１次共振周波数ｆ１がｆ１１に設定されて３次共振周波数ｆ２がｆ１２に設定されてデュアルバンドで動作可能なヘリカルアンテナ１を設計することができる。
【００２０】
例えば、ｆ１２が基本品Ａの３次共振周波数ｆ２＝２２９０ＭＨｚよりも小さい場合、巻数Ｎを基本品Ａに比べて巻数を減らすと同時に直径ｒを大きくすれば、１次共振周波数ｆ１を固定したまま３次共振周波数ｆ２を基本品Ａの３次共振周波数ｆ２よりも高い値に設定することができる。一方、ｆ１２が基本品Ａの３次共振周波数ｆ２＝２２９０ＭＨｚよりも大きい場合、巻数Ｎを基本品Ａに比べて減らすと同時に直径ｒを大きくすれば、１次共振周波数ｆ１を固定したまま３次共振周波数ｆ２を基本品Ａの３次共振周波数ｆ２よりも高いｆ１２に調整することができる。
【００２１】
上述したヘリカルアンテナ１の設定方法によれば、最初に１次共振周波数ｆ１のみをｆ１１にした基本品Ａを設計した後に、その基本品Ａに対してヘリカル導体線３の巻数Ｎ及直径ｒの２つのパラメータを調整するだけで、１次共振周波数ｆ１を固定したまま３次共振周波数ｆ２をｆ１２に調整することができ、簡単に１次共振周波数ｆ１及び３次共振周波数ｆ２をｆ１１、ｆ１２に設定してデュアルバンドで動作を実現するヘリカルアンテナ１を設計することができる。
【００２２】
第２実施形態
次に、本発明の第２実施形態を図面に基づいて説明する。図６に示すように、ヘリカルアンテナ１１は、導体板１２と、ヘリカル導体線１３と、給電線１４と、逆Ｆ線１５と、が設けられている。上記導体板１２は、導電性を有する平板から構成されている。ヘリカル導体線１３及び給電線１４は、１本の導体線から構成されている。この１本の導体線は、ヘリカル導体線１３及び給電線１４が直交するようにＬ字型に折り曲げられている。
【００２３】
上記ヘリカル導体線１３は、長方形の螺旋状に巻いて設けられている。ヘリカル導体線１３の一端には、給電線１４が設けられている。ヘリカル導体線１３の他端は、開放されている。給電線１４は、ヘリカル導体線１３側とは逆側の端部が導体板１２に接続されている。逆Ｆ線１５は、インピーダンス整合を取るために設けられている。逆Ｆ線１５は、給電線１４と平行に配置されている。逆Ｆ線１５は、一端が導体板１２に接続されていて、他端が折り曲げられて給電線１４に接続されている。
【００２４】
次に、本発明者らは、給電線１４の長さＳ＝１０ｍｍ、ヘリカル導体線１３の巻数Ｎ＝１５、ヘリカル導体線１３の間隔ｂ＝１ｍｍ、長方形のヘリカル導体線１３の短辺の長さｄ＝１ｍｍ、長辺の長さｗ＝１ｍｍ、ヘリカル導体線１３及び給電線１４の太さ直径０．５ｍｍ、の図６に示すヘリカルアンテナ１１である基本品ａを作製してその周波数対反射係数Ｓ１１特性を測定した。結果を図７に示す。図７から明らかなように、基本品ａの１次共振周波数ｆ１は１５２０ＭＨｚであり、３次共振周波数ｆ２は４５２５ＭＨｚであることが分かった。
【００２５】
また、本発明者は、基本品ａの１次共振周波数ｆ１＝１５２０ＭＨｚでの反射係数Γ１、利得ｇ１、３次共振周波数ｆ２＝４５２５ＭＨｚでの反射係数Γ２、利得ｇ２を測定した。結果を図８に示す。図８から明らかなように、基本品ａにおいては、１次共振周波数ｆ１＝１５２０ＭＨｚにおける反射係数Γ１＝０．２５９６、利得ｇ１＝３．４５３となり、３次共振周波数ｆ２＝４５２５ＭＨｚにおける反射係数Γ２＝０．４２９４、利得ｇ２＝４．０８９となることが分かった。
【００２６】
今、例えば、ｆ１１及びｆ１２（所望の周波数）の２つの周波数でデュアルバンド動作可能なヘリカルアンテナ１１を設計したいとする。そして、基本品ａの１次共振周波数ｆ１とｆ１１とが１５２０ＭＨｚで等しく（ｆ１＝ｆ１１）、基本品ａの３次共振周波数ｆ２＝４５２５ＭＨｚとｆ１２とが等しくなかったとする（ｆ２≠ｆ１２）。このとき、１次共振周波数ｆ１をｆ１１に設定して３次共振周波数ｆ２をｆ１２に設定してデュアルバンドで動作させるためには、１次共振周波数ｆ１＝ｆ１１を固定したまま３次共振周波数ｆ２を動かしてｆ１２に設定する必要がある。即ち、ｆ２／ｆ１を変化させる必要がある。なお、基本品ａのように１次共振周波数ｆ１＝１５２０ＭＨｚ、３次共振周波数ｆ２＝４５２５ＭＨｚの場合、ｆ２／ｆ１＝２．９７７となる。
【００２７】
次に、本発明者らは、基本品ａに対して他のパラメータを固定したままヘリカル導体線１３の巻数Ｎ及び長辺の長さｗが互いに異なる複数のヘリカルアンテナ１１を作製して、作製したヘリカルアンテナ１１の１次共振周波数ｆ１、３次共振周波数ｆ２をそれぞれ求めた。結果、図７及び図８の製品ｂ〜製品ｆに示すように、ヘリカル導体線１３の巻数Ｎ及び長辺の長さｗを調整すれば、１次共振周波数ｆ１を固定したまま３次共振周波数ｆ２のみ調整できることを見出した。また、図８及び図９の製品ｇ〜ｋに示すように、ヘリカル導体線１３及び給電線１４を構成する１本の導体線の長さが基本品ａとほぼ同じになるような巻数Ｎ及び長辺の長さｗの組み合わせは、１次共振周波数ｆ１も動いてしまうことが分かった。
【００２８】
上記製品ｂは、ヘリカル導体線１３の巻数Ｎ＝１２．３３、ヘリカル導体線１３の長辺の長さｗ＝２ｍｍに設けられている。製品ｂの３次共振周波数ｆ２は、基本品ａよりも小さい４４００ＭＨｚに設定される。製品ｃは、ヘリカル導体線１３の巻数Ｎ＝７．５８、ヘリカル導体線１３の長辺の長さｗ＝５ｍｍに設けられている。製品ｃの３次共振周波数ｆ２は、基本品ａ及び製品ｂよりも小さい４０６０ＭＨｚに設定されている。
【００２９】
製品ｄは、ヘリカル導体線１３の巻数Ｎ＝５．３６、ヘリカル導体線１３の長辺の長さｗ＝１０ｍｍに設けられている。製品ｄの３次共振周波数ｆ２は、基本品ａ、製品ｂ、ｃよりも小さい３６００ＭＨｚに設定されている。製品ｅは、ヘリカル導体線１３の巻数Ｎ＝２．７２、ヘリカル導体線１３の長辺の長さｗ＝１５ｍｍに設けられている。製品ｅの３次共振周波数ｆ２は、基本品ａ、製品ｂ〜ｄよりも小さい３３２５ＭＨｚに設定されている。製品ｆは、ヘリカル導体線１３の巻数Ｎ＝１．８６、ヘリカル導体線１３の長辺の長さｗ＝２０ｍｍに設けられている。製品ｆの３次共振周波数ｆ２は、基本品ａ、製品ｂ〜ｅよりも小さい３１６０ＭＨｚに設定されている。上述した製品ｂ〜製品ｆの１次共振周波数ｆ１は基本品ａと同じに固定されている。これら製品ｂ〜ｆは、図８に示すように、反射係数Γ１、Γ２ともに０．５以下（即ちＶＳＷＲが３以下）と良好であり、また利得ｇ１、ｇ２共に２ｄＢｉ以上であり、アンテナとしても動作していることが確認された。
【００３０】
図７及び図８の製品ｂ〜ｆの欄からも明らかなように、ヘリカル導体線１３の巻数Ｎを減らすと同時にヘリカル導体線１３の長辺の長さｗを大きくすると、１次共振周波数ｆ１を固定したまま３次共振周波数ｆ２を小さくできることが分かった。即ち、ヘリカルアンテナ１１の巻数Ｎ及び長辺の長さｗを調整することによって、１次共振周波数ｆ１を固定したまま３次共振周波数ｆ２が調整できることが分かった。
【００３１】
そこで、第２実施形態では、まず１次共振周波数ｆ１のみを上記ｆ１１に設定した基本品ａの設計を行う。次に、３次共振周波数ｆ２が上記ｆ１２となるように基本品ａに対してヘリカル導体線１３の巻数Ｎを変動させて調整する。同時にヘリカル導体１３の巻数Ｎの調整に応じて１次共振周波数ｆ１＝ｆ１１が動かないように基本品ａに対して長方形のヘリカル導体線１３の長辺の長さｗを変動させて調整する。これにより、１次共振周波数ｆ１がｆ１１に設定されて３次共振周波数ｆ２がｆ１２に設定されてデュアルバンドで動作可能なヘリカルアンテナ１１を設計することができる。
【００３２】
例えば、ｆ１２が基本品ａの３次共振周波数ｆ２＝４５２５ＭＨｚよりも小さい場合、巻数Ｎを基本品ａに比べて巻数を減らすと同時に長辺の長さｗを大きくすれば、１次共振周波数ｆ１を固定したまま３次共振周波数ｆ２を基本品ａの３次共振周波数ｆ２よりも高い値に設定することができる。
【００３３】
上述したヘリカルアンテナ１１の設定方法によれば、最初に１次共振周波数ｆ１のみをｆ１１にした基本品ａを設計した後に、その基本品ａに対してヘリカル導体線１３の巻数Ｎ及長辺の長さｗの２つのパラメータを調整するだけで、１次共振周波数ｆ１を固定したまま３次共振周波数ｆ２をｆ１２に調整することができ、簡単に１次共振周波数ｆ１及び３次共振周波数ｆ２をｆ１１、ｆ１２に設定してデュアルバンドで動作を実現するヘリカルアンテナ１１を設計することができる。
【００３４】
なお、上述した第１及び第２実施形態では、インピーダンス整合を取るため逆Ｆ構造としていたが、逆Ｆ以外にも集中定数回路をス遠敷する方法などがあり、本発明は逆Ｆ整合の場合のみに限定されるものではない。
【００３５】
なお、上述した第１実施形態及び第２実施形態では、ヘリカル導体線２、１２と給電線４、１４とが直交するＬ字型のヘリカルアンテナ１、１１の設計方法について説明していたが、本発明はこれに限ったものではない。ヘリカル導体線２、１２と給電線４、１４とが一直線上に配置された直立型のヘリカルアンテナ１、１１についても同様の設計方法を適用することができる。
【００３６】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３７】
【図１】第１実施形態におけるデュアルバンド・ヘリカルアンテナの一実施の形態を示す構成図である。
【図２】基本品Ａ、製品Ｂ〜Ｅの周波数対反射係数Ｓ１１特性を示すグラフである。
【図３】基本品Ａ、製品Ｂ〜Ｅの給電線の長さＳ、ヘリカル導体線の直径ｒ、ヘリカル導体線の間隔ｂ、ヘリカル導体線の巻数、１次共振周波数ｆ１、１次共振周波数ｆ１における反射係数Γ１及び利得ｇ１、３次共振周波数ｆ２、３次共振周波数ｆ２における反射係数Γ２及び利得ｇ２、ｆ２／ｆ１を示すグラフである。
【図４】製品Ｆ〜Ｉの周波数対反射係数Ｓ１１特性を示すグラフである。
【図５】製品Ｆ〜Ｉの給電線の長さＳ、ヘリカル導体線の直径ｒ、ヘリカル導体線の間隔ｂ、ヘリカル導体線の巻数、１次共振周波数ｆ１、１次共振周波数ｆ１における反射係数Γ１及び利得ｇ１、３次共振周波数ｆ２、３次共振周波数ｆ２における反射係数Γ２及び利得ｇ２、ｆ２／ｆ１を示すグラフである。
【図６】第２実施形態におけるデュアルバンド・ヘリカルアンテナの一実施の形態を示す構成図である。
【図７】基本品ａ、製品ｂ〜ｆの周波数対反射係数Ｓ１１特性を示すグラフである。
【図８】基本品ａ、製品ｂ〜ｆの給電線の長さＳ、ヘリカル導体線の直径ｒ、ヘリカル導体線の間隔ｂ、ヘリカル導体線の巻数、１次共振周波数ｆ１、１次共振周波数ｆ１における反射係数Γ１及び利得ｇ１、３次共振周波数ｆ２、３次共振周波数ｆ２における反射係数Γ２及び利得ｇ２、ｆ２／ｆ１を示すグラフである。
【図９】製品ｇ〜ｋの周波数対反射係数Ｓ１１特性を示すグラフである。
【図１０】製品ｇ〜ｋの給電線の長さＳ、ヘリカル導体線の直径ｒ、ヘリカル導体線の間隔ｂ、ヘリカル導体線の巻数、１次共振周波数ｆ１、１次共振周波数ｆ１における反射係数Γ１及び利得ｇ１、３次共振周波数ｆ２、３次共振周波数ｆ２における反射係数Γ２及び利得ｇ２、ｆ２／ｆ１を示すグラフである。
【符号の説明】
【００３８】
１    ヘリカルアンテナ
３    ヘリカル導体線
４    給電線
ｒ    直径
１１  ヘリカルアンテナ
１３  ヘリカル導体線
１４  給電線
ｗ    長辺の長さ
【図１】
2010068070.tif 000003
【図２】
2010068070.tif 000004
【図３】
2010068070.tif 000005
【図４】
2010068070.tif 000006
【図５】
2010068070.tif 000007
【図６】
2010068070.tif 000008
【図７】
2010068070.tif 000009
【図８】
2010068070.tif 000010
【図９】
2010068070.tif 000011
【図１０】
2010068070.tif 000012